(57)【要約】【課題】容器の収容室の湿度を確実に低く保つ。【解決手段】内容物が収容される収容室Ａを有する容器１であって、その壁部１１には、収容室Ａを囲繞若しくは画成する第１樹脂組成物層１２と、第１樹脂組成物層１２を収容室Ａの反対側から囲繞する第２樹脂組成物層１３と、が備えられ、第１樹脂組成物層１２は、第２樹脂組成物層１３より同一容積の空間に対する除湿能力が高く、第２樹脂組成物層１３は、第１樹脂組成物層１２より吸水可能量が大きい。【選択図】図１
2011246181.tif 000002
【特許請求の範囲】
【請求項１】
内容物が収容される収容室を有する容器であって、
その壁部には、
前記収容室を囲繞若しくは画成する第１樹脂組成物層と、
該第１樹脂組成物層を前記収容室の反対側から囲繞する第２樹脂組成物層と、
が備えられ、
前記第１樹脂組成物層は、第２樹脂組成物層より同一容積の空間に対する除湿能力が高く、前記第２樹脂組成物層は、第１樹脂組成物層より吸水可能量が大きいことを特徴とする容器。
【請求項２】
請求項１記載の容器であって、
前記第１樹脂組成物層は、第２樹脂組成物層より単位重量当たりの前記除湿能力が高く、  前記第２樹脂組成物層は、第１樹脂組成物層より単位重量当たりの吸水可能量が大きいことを特徴とする容器。
【請求項３】
請求項１または２に記載の容器であって、
前記第１樹脂組成物層にはモレキュラーシーブが配合されていることを特徴とする容器。
【発明の詳細な説明】
【技術分野】
【０００１】
本発明は、容器に関するものである。
【背景技術】
【０００２】
容器の収容室に密封された収容体は、密封後から需要者が容器を開封するまでの間に、湿気に起因して品質が劣化することがある。そのため従来から、例えば下記特許文献１に示されるような、容器の壁部に、吸湿剤が配合された樹脂組成物層を配設した構成が知られている。
【先行技術文献】
【特許文献】
【０００３】
【特許文献１】特開２００５−２２０１４９号公報
【発明の概要】
【発明が解決しようとする課題】
【０００４】
しかしながら前記従来の容器では、前記樹脂組成物層が収容室のみならず外気中に含まれる水分をも吸収することで、収容室の湿度を低く保つことが困難になるおそれがあった。
【０００５】
本発明は、このような事情を考慮してなされたもので、容器の収容室の湿度を確実に低く保つことができる容器を提供することを目的とする。
【課題を解決するための手段】
【０００６】
上記課題を解決して、このような目的を達成するために、本発明の容器は、内容物が収容される収容室を有する容器であって、その壁部には、前記収容室を囲繞若しくは画成する第１樹脂組成物層と、該第１樹脂組成物層を前記収容室の反対側から囲繞する第２樹脂組成物層と、が備えられ、前記第１樹脂組成物層は、第２樹脂組成物層より同一容積の空間に対する除湿能力が高く、前記第２樹脂組成物層は、第１樹脂組成物層より吸水可能量が大きいことを特徴とする。
【０００７】
本発明によれば、第２樹脂組成物層が、第１樹脂組成物層を収容室の反対側から囲繞しているので、外気の湿気が容器の壁部の外表面を透過しても、第２樹脂組成物層に吸収されて第１樹脂組成物層に到達するのを抑制することができる。しかも、第２樹脂組成物層は、第１樹脂組成物層より吸水可能量が大きいので、例えば、密封後から開封までの期間が長くなったり、あるいはこの容器が湿度の高い環境下に置かれたりしても、多量の湿気を第２樹脂組成物層に吸収させることが可能になり、第１樹脂組成物層に外気の湿気が到達するのを確実に抑えることができる。
したがって、前記除湿能力が第２樹脂組成物層より高い第１樹脂組成物層に、外気の湿気を吸収させ難くして、容器の収容室内の湿気を集中して吸収させることが可能になり、収容室の湿度を確実に低く保つことができる。
【０００８】
ここで、前記第１樹脂組成物層は、第２樹脂組成物層より単位重量当たりの前記除湿能力が高く、前記第２樹脂組成物層は、第１樹脂組成物層より単位重量当たりの吸水可能量が大きくてもよい。
【０００９】
この場合、第１樹脂組成物層が、第２樹脂組成物層より単位重量当たりの前記除湿能力が高く、第２樹脂組成物層が、第１樹脂組成物層より単位重量当たりの吸水可能量が大きいので、第１樹脂組成物層および第２樹脂組成物層それぞれの重量の増大や、容器の大型化を抑えて、前述の作用効果を奏功させることができる。
【００１０】
また、前記第１樹脂組成物層にはモレキュラーシーブが配合されてもよい。
【００１１】
この場合、前述の作用効果が確実に奏功される。
【発明の効果】
【００１２】
本発明によれば、容器の収容室の湿度を確実に低く保つことができる。
【図面の簡単な説明】
【００１３】
【図１】本発明に係る一実施形態として示した容器の一部縦断面図である。
【図２】本発明に係る他の実施形態として示した容器の一部縦断面図である。
【発明を実施するための形態】
【００１４】
以下、図面を参照し、本発明の一実施形態について説明する。
本実施形態に係る容器１は、図１に示されるように、内容物が収容される収容室Ａを有するとともに、壁部１１は、収容室Ａを囲繞する第１樹脂組成物層１２と、第１樹脂組成物層１２を収容室Ａの反対側から囲繞する第２樹脂組成物層１３と、を備えている。さらに図示の例では、壁部１１は、第２樹脂組成部層１３を収容室Ａの反対側から囲繞する最外層１５、および収容室Ａを画成する最内層１４を備えている。
ここで、容器１の壁部１１は有底筒状に形成されていて、第１樹脂組成物層１２、第２樹脂組成物層１３、最外層１５および最内層１４も有底筒状に形成されている。
最外層１５および最内層１４はそれぞれ、吸湿剤を含有しない例えばポリエチレン、若しくはポリプロピレン等で形成される。
【００１５】
第１樹脂組成物層１２は、第１吸湿剤が配合された第１基材樹脂により形成され、第２樹脂組成物層１３は、第２吸湿剤が配合された第２基材樹脂により形成されている。
第１基材樹脂および第２基材樹脂としては、例えばポリエチレン、若しくはポリプロピレン等が挙げられる。
第１吸湿剤および第２吸湿剤としては、例えばモレキュラーシーブ、硫酸マグネシウム、シリカゲル、酸化カルシウム、塩化カルシウム、およびシリカアルミナゲルのうちの１つ若しくは複数の混合物が挙げられる。
これらのうち、モレキュラーシーブは、結晶性ゼオライトであって次の一般式（１）で表される。
Ｍ２／ｎＯ・Ａｌ２Ｏ３・ｘＳｉＯ２・ｙＨ２Ｏ・・・（１）
但し、Ｍ：金属カチオン、ｎ：原子価
なお、Ｍとして例えばナトリウム等を採用することができる。
【００１６】
そして本実施形態では、第１樹脂組成物層１２は、第２樹脂組成物層１３より同一容積の空間に対する除湿能力が高くなっている。なおこの除湿能力は、同一容積の空間の湿度をより低く下げて維持できることをいう。また、第２樹脂組成物層１３は、第１樹脂組成物層１２より吸水可能量が大きくなっている。なおこの吸水可能量は、吸収することが可能な水の量である。
さらに本実施形態では、第１樹脂組成物層１２は、第２樹脂組成物層１３より単位重量当たりの前記除湿能力が高く、第２樹脂組成物層１３は、第１樹脂組成物層１２より単位重量当たりの吸水可能量が大きくなっている。
【００１７】
このような第１樹脂組成物層１２は例えば、第１基材樹脂として第２基材樹脂と同材質の樹脂材料を採用し、かつ第１吸湿剤として第２吸湿剤よりも単位重量当たりの前記除湿能力が高い材質を採用することで得られ、また第２樹脂組成物層１３は例えば、第２基材樹脂として第１基材樹脂と同材質の樹脂材料を採用し、かつ第２吸湿剤として第１吸湿剤よりも単位重量当たりの吸水可能量が大きい材質を採用することで得られる。
さらにこのような第１樹脂組成物層１２は例えば、第１基材樹脂として低密度ポリエチレンを採用し、かつ第１吸湿剤としてモレキュラーシーブを採用することで得られ、また第２樹脂組成物層１３は例えば、第２基材樹脂として低密度ポリエチレンを採用し、かつ第２吸湿剤として硫酸マグネシウムを採用することで得られる。
【００１８】
なお、モレキュラーシーブが５０重量％配合された低密度ポリエチレン（以下、第１材料という）、および硫酸マグネシウムが２０重量％配合された低密度ポリエチレン（以下、第２材料という）で形成した互いに同形同大の各試験片を、同一の容積で湿度および温度が同等の密閉空間に各別に収容し、約３０日間保管した後に、各試験片の重量を測定したところ、第１材料で形成した試験片では１ｇ当たり０．１ｇの水を吸収し、また、第２材料で形成した試験片では、１ｇ当たり０．２ｇの水を吸収することが確認された。
さらに、モレキュラーシーブが２０重量％配合された低密度ポリエチレン（以下、第３材料という）、および前記第２材料で形成した互いに同形同大の各試験片を、同一の容積で湿度および温度が同等の密閉空間に各別に収容し、一週間保管したときの密封空間内の湿度を測定したところ、前記第３材料で形成した試験片が保管された方では１０％以下であったのに対し、前記第２材料で形成した試験片が保管された方では約３０％であることが確認された。
【００１９】
以上説明したように、本実施形態による容器１によれば、第２樹脂組成物層１３が、第１樹脂組成物層１２を収容室Ａの反対側から囲繞しているので、外気の湿気が容器１の壁部１１の外表面を透過しても、第２樹脂組成物層１３に吸収されて第１樹脂組成物層１２に到達するのを抑制することができる。しかも、第２樹脂組成物層１３は、第１樹脂組成物層１２より吸水可能量が大きいので、例えば、密封後から開封までの期間が長くなったり、あるいはこの容器１が湿度の高い環境下に置かれたりしても、多量の湿気を第２樹脂組成物層１３に吸収させることが可能になり、第１樹脂組成物層１２に外気の湿気が到達するのを確実に抑えることができる。
したがって、前記除湿能力が第２樹脂組成物層１３より高い第１樹脂組成物層１２に、外気の湿気を吸収させ難くして、容器１の収容室Ａ内の湿気を集中して吸収させることが可能になり、収容室Ａの湿度を確実に低く保つことができる。
【００２０】
また、第１樹脂組成物層１２が、第２樹脂組成物層１３より単位重量当たりの前記除湿能力が高く、第２樹脂組成物層１３が、第１樹脂組成物層１２より単位重量当たりの吸水可能量が大きいので、第１樹脂組成物層１２および第２樹脂組成物層１３それぞれの重量の増大や、容器１の大型化を抑えて、前述の作用効果を奏功させることができる。
【００２１】
なお、本発明の技術的範囲は前記実施の形態に限定されるものではなく、本発明の趣旨を逸脱しない範囲において種々の変更を加えることが可能である。
【００２２】
例えば、前記実施形態では最内層１４を配設したが、図２に示されるように、最内層１４を有さず、第１樹脂組成物層１２により収容室Ａが画成された容器２にも適用可能である。
また、第１樹脂組成物層１２と第２樹脂組成物層１３との間に、例えば吸湿剤を含有しない中間層等を介在させてもよい。
さらに、壁部１１に、水分バリア性に優れた樹脂材料で形成されたバリア層を備えさせ、このバリア層により第１樹脂組成物層１２を収容室Ａの反対側から囲繞させてもよい。
この場合、外気の湿気が第１樹脂組成層１２に到達することをより確実に防止する。
さらにまた、前記バリア層により第１樹脂組成物層１２のみならず第２樹脂組成物層１３をも収容室Ａの反対側から囲繞させてもよい。
また、このバリア層を形成する樹脂材料は、例えばオレフィン系樹脂等、第１基材樹脂および第２基材樹脂よりも水分バリア性に優れた材質であってもよい。
【００２３】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００２４】
容器の収容室の湿度を確実に低く保つことができる。
【符号の説明】
【００２５】
１、２  容器
１１  壁部
１２  第１樹脂組成物層
１３  第２樹脂組成物層
Ａ  収容室
【図１】
2011246181.tif 000003
【図２】
2011246181.tif 000004